(57)【特許請求の範囲】
【請求項１】
竿体の長手方向に遊動可能に前記竿体に設けられる遊動式の釣糸ガイドであって、
前記竿体が挿通可能な貫通孔が形成された繊維強化樹脂から成る筒状の取付部と、
前記取付部の上部に設けられ、釣糸を案内するガイドリングを取り付けるためのガイド孔が形成されたフレームと、
を備え、
前記取付部には、前記貫通孔の中心を通り左右方向に延伸する第１仮想線から反時計回りに第１角度傾いて下方に延伸する第２仮想線と、前記第１仮想線から時計回りに第２角度傾いて下方に延伸する第３仮想線との間に挟まれた下端部のみから下方に突出する補強部が設けられていることを特徴とする釣糸ガイド。
【請求項２】
前記フレームが繊維強化樹脂から成ることを特徴とする請求項１に記載の釣糸ガイド。
【請求項３】
前記補強部は、その表面全域が曲面で形成されていることを特徴とする請求項１または請求項２に記載の釣糸ガイド。
【請求項４】
請求項１から請求項３のいずれか１項に記載の釣糸ガイドを備える釣竿。
【発明の詳細な説明】
【技術分野】
【０００１】
本発明は、竿体の長手方向に遊動可能な遊動式の釣糸ガイドに関する。また、本発明は、かかる釣糸ガイドを備える釣竿に関する。
【背景技術】
【０００２】
釣竿は、細長い竿体と、当該竿体に取り付けられてリールから当該竿体の先端まで釣糸を案内する釣糸ガイドと、を備える。釣糸ガイドには、竿体の外表面に接着等により固定される固定式のものと、竿体に遊動自在に嵌め込まれる遊動式のものとがある。竿体に遊動自在に嵌め込まれる遊動式の釣糸ガイドは、単に遊動ガイドと呼ばれることもある。
【０００３】
従来の遊動ガイドは、例えば、特開２０１１−０１０５７８号公報、特開２０１１−０１０５７７号公報、特開２０１０−１０４２６４号公報、特開２００４−１８７５７９号公報、特開２００４−０００２７３号公報、特開２００３−２８４４５５号公報、特開２００３−２７４８０９号公報、及び特開２００３−０４７３７１号公報に開示されている。
【０００４】
これらの公知文献に記載されているように、従来の遊動ガイドは、一般に、竿体が挿通される筒状の取付部と、当該取付部から延伸するフレームと、当該フレームに形成された貫通孔に嵌め込まれる硬質のガイドリングと、を備える。使用前例えば釣竿の運搬時には、遊動ガイドは、その取付部を介して竿体に緩く嵌め込まれている。釣竿の使用時には、この緩く嵌め込まれている遊動ガイドを竿体に沿って手元側に移動させる。竿体は、手元側が太くなるように形成されているので、遊動ガイドを竿体の所定の取付位置まで移動させると、遊動ガイドの取付部は竿体と固く嵌め合わされる。このように、遊動ガイドは、竿体の長手方向に遊動自在に移動できるように竿体に取り付けられており、使用時に竿体の所定の位置に固く嵌め合わされる。
【０００５】
遊動ガイドの取付部及びフレームは、金属や硬質樹脂から成型される。特開昭６０−１９６１３４号公報に開示されているように、固定式の釣糸ガイドを、繊維強化樹脂を用いて射出成型することも提案されている。
【先行技術文献】
【特許文献】
【０００６】
【特許文献１】特開２０１１−０１０５７８号公報
【特許文献２】特開２０１１−０１０５７７号公報
【特許文献３】特開２０１０−１０４２６４号公報
【特許文献４】特開２００４−１８７５７９号公報
【特許文献５】特開２００４−０００２７３号公報
【特許文献６】特開２００３−２８４４５５号公報
【特許文献７】特開２００３−２７４８０９号公報
【特許文献８】特開２００３−０４７３７１号公報
【特許文献９】特開昭６０−１９６１３４号公報
【発明の概要】
【発明が解決しようとする課題】
【０００７】
本発明者は、特願２０１５−１７１２０６において、取付部及びフレームが繊維強化樹脂で成型された遊動ガイドを提案している。繊維強化樹脂は強化繊維を含まない樹脂よりも一般に高弾性であるため、繊維強化樹脂製の遊動ガイドを竿体へ嵌め込む際に、その取付部に大きな応力が作用してしまう。このような大きな応力は、取付部を破壊する原因となる。
【０００８】
そこで、本発明の目的の一つは、竿体への取付時に繊維強化樹脂から成る取付部が破壊されにくい遊動ガイドを提供することである。
【課題を解決するための手段】
【０００９】
本発明の一態様は、竿体の長手方向に遊動可能に前記竿体に設けられる遊動式の釣糸ガイドに関する。本発明の一態様に係る遊動式の釣糸ガイドは、竿体が挿通可能な貫通孔が形成された繊維強化樹脂から成る筒状の取付部と、当該取付部の上部に設けられたフレームと、を備える。当該フレームには、釣糸を案内するガイドリングを取り付けるためのガイド孔が形成される。当該取付部には、その下部から下方に突出する補強部が設けられる。
【００１０】
本発明者の調査によれば、繊維強化樹脂製の遊動ガイドは、強化繊維を含まない樹脂から成る遊動ガイドと比べて竿体への取付時に取付部が破壊されやすいこと、及び、この取付部の破壊は特に取付部の下部で顕著に発生しやすいことが判明した。繊維強化樹脂製の遊動ガイドにおいて破壊が下部に集中する理由は、遊動ガイドを竿体へ嵌め込む際に竿体から作用する応力による変形が取付部の下部に集中するためと考えられる。つまり、取付部の上部は、フレームと接続されているためほとんど変形せず、また、遊動ガイドの側部は、取付時に手で把持されるため変形しにくいので、取付部の変形はその下部に集中すると考えられる。
【００１１】
本発明の一態様に係る釣糸ガイドにおいては、その取付部の下部に補強部を設け、その上部には補強部を設けないので、当該取付部の下部に発生する変形を効率的に抑制することができる。すなわち、取付部の強度を単に改善するのであれば、取付部全体を厚肉化することも考えられが、取付部全体を厚肉化したのでは釣糸ガイドの重量が増大してしまうところ、上述した本発明の一態様に係る釣糸ガイドにおいては、破壊されやすい取付部の下部のみを補強しているので、取付部全体を厚肉化する場合と比べて重量の増加を抑制することができる。
【００１２】
また、当該補強部は、当該取付部の下部から下方に突出するように形成されるので、竿体の下面に凹凸が形成される。これにより、釣糸が竿体に張り付くことを抑制できる。
【００１３】
また、本発明の一態様において、当該補強部は、その表面全域が曲面のみで形成されているので、当該補強部への糸絡みを防止することができる。
【００１４】
本発明の一態様において、補強部は、取付部と同じ素材（繊維強化樹脂）で形成してもよく、異なる素材（例えば、金属）で形成してもよい。
【００１５】
本発明の一態様において、フレームは、繊維強化樹脂、強化繊維を含まない硬質樹脂、金属、またはこれら以外の釣糸ガイドに好適な材料から成る。取付部及びフレームは一体成型されてもよいし別体として成型してもよい。取付部とフレームとは、同素材で形成してもよく、異素材で形成してもよい。
【発明の効果】
【００１６】
本発明の様々な実施形態により、竿体への取付時に繊維強化樹脂から成る取付部が破壊されにくい遊動ガイドを提供することができる。
【図面の簡単な説明】
【００１７】
【図１】本発明の一実施形態に係る釣竿の構成を示す側面図。
【図２】図１に示した釣糸ガイドの正面図。
【図３】図１に示した釣糸ガイドの右側面図。
【図４】竿体に装着された釣糸ガイドを示す図。
【図５】本発明の他の実施形態に係る釣糸ガイドの正面図。
【発明を実施するための形態】
【００１８】
以下、本発明の様々な実施形態を適宜図面を参照して説明する。共通する構成要素には複数の図面をまたがって同一の参照符号が付されている。各図面は、便宜上、必ずしも同一の縮尺により示されているとは限らない点に留意されたい。
【００１９】
図１は、本発明の一実施形態に係る釣糸ガイド１０を備える本発明の一実施形態に係る釣竿１の外観図である。図示の実施形態において、釣竿１は、手元竿３と、複数（図１の例では３本）の中竿５と、穂先竿７と、を有する振り出し式の釣竿である。釣竿１の不使用時においては、中竿５及び穂先竿７が中空の手元竿３に収納される。
【００２０】
手元竿３、中竿５、及び穂先竿７は、例えば、炭素繊維に合成樹脂を含浸したプリプレグシート等を用いて形成され得る。また、手元竿３、中竿５、及び穂先竿７は、それぞれ穂先方向に先細りとなるテーパー形状を有する。釣竿１はあくまで例示であり、本発明の釣糸ガイドは、遊動式の釣糸ガイドが用いられる任意の釣竿とともに用いられ得る。
【００２１】
中竿５及び穂先竿７の外周面には、リールＲから繰り出される釣糸を釣竿１の穂先まで案内する複数の釣糸ガイド１０が設けられている。当該釣糸ガイド１０は、遊動式の釣糸ガイドである。竿体５、７（中竿５及び穂先竿７）が手元竿３に収納されるときには、遊動式の釣糸ガイド１０は、竿体の穂先側端部に移動させられる。
【００２２】
図２は、一実施形態における釣糸ガイド１０の正面図であり、図３は、釣糸ガイド１０の側面図である。図２及び３においては、竿体５、７を省略している。釣糸ガイド１０は、図示するように、筒状の取付部１４と、この取付部１４の上部に接続されたフレーム１６と、このフレーム１６に形成された貫通孔（ガイド孔）に取り付けられる環状のガイドリング１２と、を備える。取付部１４には竿体５，７の軸方向に沿って延びる貫通孔１８が形成されている。この取付部１４の貫通孔１８に竿体５，７が挿通される。
【００２３】
フレーム１６は概ね板状に形成されており、取付部１４の上部から概ね上方に向かって延伸する。図示の例において、フレーム１６は、その手元側の面が取付部１４からやや前方（穂先側）に向かって傾斜する方向に延びている一方、その穂先側の面が取付部１４から竿体の軸方向と垂直な方向に延伸している。フレーム１６は、その全体が竿体の軸方向と垂直な方向に延伸するように構成されてもよい。フレーム１６には、ガイドリング１２を取り付けるための貫通孔が形成されている。この貫通孔を画定するフレーム１６の内周面に、ガイドリング１２が嵌め込まれて固定されている。
【００２４】
ガイドリング１２は、容易に摩耗せず、また、内側に通されて摺動する釣糸に対する摩擦力が小さくなるように、例えば、チタン、アルミニウム、ＳＵＳ、セラミックスなどの硬質材料によって形成される。
【００２５】
取付部１４には、上述したように貫通孔１８が形成されており、この貫通孔１８に竿体５，７が通される。取付部１４の貫通孔１８は、穂先方向に先細りとなるテーパー形状を有している。貫通孔１８は、例えば、テーパーリーマー等の工具を用いて所定のテーパーを有するように加工される。このように貫通孔１８がテーパー形状を有することにより、釣糸ガイド１０は、当該竿体５、７の長手方向の特定の位置であって、取付部１４の内周面が竿体５、７の外周面に当接する位置で固定される。すなわち、一実施形態における複数の釣糸ガイド１０の各々は、予め定められた長手方向の特定の位置における竿体５、７の外径及びテーパー形状に適合するように、取付部１４の内径（貫通孔１８の直径）及び貫通孔１８のテーパー形状が設定されている。取付部１４の貫通孔１８を画定する内周面には、釣糸ガイド１０の軸方向（竿体５、７の長手方向）に沿って延伸するように形成された複数の凸条（不図示）を有していてもよい。かかる凸条により、竿体５、７の周方向への釣糸ガイド１０の回転を抑制することができる。
【００２６】
取付部１４の下部には、取付部１４の下方を補強する補強部２０が設けられる。本発明の一実施形態において、この補強部２０は、取付部１４から下方に突出するように設けられる。釣糸ガイド１０を竿体５，７へ嵌め込む際に、取付部１４のうちフレーム１６と接続される部分（図示の実施形態においては、図２の仮想線Ａ１よりも上の部分）は、フレーム１６によってと接続されているためほとんど変形せず、取付部１４の変形は、その下部（図示の実施形態においては、図２の仮想線Ａ１よりも下の部分）に集中すると考えられるので、補強部２０は取付部１４の下部に設けられる。つまり、補強部２０は、取付部１４のうち、その貫通孔１８の中心を通り左右に延びる仮想線Ａ１よりも下方にある部分に設けられる。換言すれば、補強部２０は、取付部１４の外周面のうち、仮想線Ａ１よりも下にある位置で取付部１４と接続される。このように配置された補強部２０により、取付部１４の破壊されやすい部分を効率的に補強することができる。本発明の一実施形態において、補強部２０は、その中央における厚みＴ２の取付部１４の厚みＴ１に対する比（Ｔ２／Ｔ１）が０．１〜２．０となるように構成される。
【００２７】
また、釣糸ガイド１０を竿体５，７へ嵌め込む際には、釣糸ガイド１０の側部が手で把持される。このため、取付部１４の下部のうち、取付時に手で押さえられる側部を除いた下端部が最も変形しやすい。そこで、取付部１４の当該下端部に補強部２０を設けることにより、取付部１４の破壊されやすい部分を一層効率的に補強することができる。取付部１４の下端部は、例えば、図２に示すように、貫通孔１８の中心から下方に仮想線Ａ１から反時計回りに所定角度（例えば、４５°）傾いて延伸する仮想線をＡ２とし、貫通孔１８の中心から下方に仮想線Ａ１から時計回りに所定角度（例えば、４５°）傾いて延伸する仮想線をＡ３とし、取付部１４のうち正面視においてこの仮想線Ａ２と仮想線Ａ３とで挟まれた部分を下端部とすることができる。図２には、取付部１４の下端部に補強部２０が設けられた例が示されている。
【００２８】
本発明の一実施形態においては、図示のように、補強部２０は、その表面全域が曲面となるように形成される。これにより、補強部２０に釣糸が絡まることを防止することができる。
【００２９】
図２に示した補強部２０のドーム状の形状は例示に過ぎず、本発明の補強部は様々な形状をとることができる。図５は、図２の釣糸ガイド１０とは異なる形状の補強部１２０を備えた本発明の他の実施形態に係る釣糸ガイド１０’を示す。この補強部１２０は、その中央から周縁に凹Ｒ部１２２を有している。補強部１２０の周縁は、この凹Ｒ部１２２により薄肉化されている。これにより、取付部１４と補強部１２０との境界付近に応力が集中しにくくすることができる。
【００３０】
図４は、竿体５に取り付けられた釣糸ガイド１０の一例を示す。図４に示すように、補強部２０が取付部１４の下部から下方に突出することにより、竿体５の下面に凹凸ができるので、釣糸Ｌが緩んだ場合であっても当該釣糸Ｌが竿体５，７に張り付くことを抑制できる。竿体７についても同様の効果が得られる。
【００３１】
本発明の一実施形態において、取付部１４及びフレーム１６は、多数の強化繊維にマトリクス樹脂を含浸させた繊維強化樹脂によって一体に成形されている。例えば、取付部１４及びフレーム１６は、多数の強化繊維を含有するマトリクス樹脂を用いて一体に射出成型される。本発明の一実施形態において、補強部２０は、取付部１４及びフレーム１６と同じ繊維強化樹脂から形成される。この場合、補強部２０は、射出成型により、取付部１４及びフレーム１６と一体に形成される。本発明の他の実施形態において、補強部２０は、金属から成る。この金属製の補強部２０は、成型された取付部１４に対し、接着、溶着、またはこれら以外の樹脂と金属とを接合するために任意の手法により接合される。
【００３２】
本発明の一実施形態において、取付部１４及びフレーム１６を形成する繊維強化樹脂は、炭素繊維等の強化繊維に、ポリアミド樹脂、ポリエステル樹脂、ポリフェニレンエーテル、ポリアセタール、又はポリカーボネート等のマトリクス樹脂を含浸させたものである。この強化繊維の各々は、その繊維長さが比較的短いもの、例えば、平均繊維長さが０．５−１０ｍｍの範囲にある、いわゆる短繊維であってもよい。釣糸ガイド１０の取付部１４及びフレーム１６を短繊維を含有する繊維強化樹脂を用いて形成することにより、当該釣糸ガイド１０は、平均繊維長さが１０ｍｍよりも長い長繊維を含有する繊維強化樹脂で成型した場合よりも、曲げ剛性が小さくなる。この結果、本発明の様々な実施形態における釣糸ガイド１０は、釣竿１の曲がりに対する追従性を確保し易い。また、強化繊維の各々は、例えば、略円柱形状を有し、平均繊維径が３〜１５μｍの範囲にあり、平均繊維長さが０．５〜１０ｍｍの範囲にある。また、一実施形態において、繊維強化樹脂における強化繊維の含有量は、例えば、マトリクス樹脂に対して１０〜６０質量％の範囲にある。ここに開示した強化繊維の形状、寸法、及び含有量等は例示であって、本発明の実施形態における強化繊維のこれらの特性は、ここに例示したものに限られない。
【００３３】
一実施形態において、取付部１４及びフレーム１６を形成する繊維強化樹脂が含有する多数の強化繊維は、取付部１４及び／又はフレーム１６の少なくとも一部分、例えば、取付部１４の貫通孔１８を画定する内周面の表層部及び／又はフレーム１６の貫通孔１８を画定する内周面の表層部において竿体５、７の長手方向を指向している。取付部１４の貫通孔１８を画定する内周面の表層部は、取付部１４のうち、例えばその内周面から２．０ｍｍの深さまでの領域を指す。また、フレーム１６の貫通孔１８を画定する内周面の表層部は、フレーム１６のうち、例えばその内周面から２．０ｍｍの深さまでの領域を指す。本明細書で説明する表層部の深さはあくまで例示に過ぎず、本発明の釣糸ガイドおける表層部の深さは本明細書に具体的に開示されたものには限定されない。
【００３４】
ここで、マトリクス樹脂に含まれる強化繊維の向きは、例えば、強化繊維を混入したマトリクス樹脂を射出成形用の金型に注入するためのゲートの位置によって変わる。つまり、成型時にマトリクス樹脂が流動する向きを変更することによって、強化繊維が指向する向きを変更することができる。例えば、取付部１４及びフレーム１６を一体成形する金型に注入するマトリクス樹脂の流れる方向を、竿体５、７の長手方向に対応する方向とすることによって、当該マトリクス樹脂に含まれる強化繊維は当該長手方向を指向する。
【００３５】
本発明の実施形態は、上述した実施形態に限定されるものではなく、その要旨を逸脱しない範囲内で様々な変更が可能である。例えば、釣竿１に設けられる釣糸ガイド１０の数、位置、形状等は、上述した実施形態に限定されるものではない。
【符号の説明】
【００３６】
１  釣竿
３  手元竿
５  中竿
７  穂先竿
１０  釣糸ガイド
１２  ガイドリング
１４  取付部
１６  フレーム
１８  貫通孔
２０  補強部
【図１】
0006499057.tif 000002
【図２】
0006499057.tif 000003
【図３】
0006499057.tif 000004
【図４】
0006499057.tif 000005
【図５】
0006499057.tif 000006